(57)【要約】【課題】室内の空気の清浄度を十分なものとするために必要な分だけ、放電式の集塵装置により屋外の空気から粒子状物質を取り除いて室内に導入でき、集塵装置での不必要な放電を抑制可能な換気装置等を提供する。【解決手段】この発明に係る換気装置は、屋外の空気を取り入れるための吸込口１２と、吸込口１２から導入した空気を室内に吹き出すための吸込口１２と、吸込口１２から吹出口１３に通じる風路に配置される集塵装置１００と、室内の空気の汚れ量を検出する室内汚れセンサ２２と、を備える。集塵装置１００は、通過する空気中の粒子状物質を帯電させる荷電部１１０、荷電部１１０に電圧を印加する電源部１２０及び荷電部１１０により帯電された粒子状物質を捕集する捕集部１３０を有する。集塵装置１００の電源部１２０は、室内の空気の汚れ量に応じて荷電部１１０に電圧を印加する。【選択図】図１
2019199989.tif 000002
【特許請求の範囲】
【請求項１】
屋外の空気を取り入れるための外気導入開口部と、
前記外気導入開口部から導入した空気を室内に吹き出すための給気開口部と、
通過する空気中の粒子状物質を帯電させる荷電部、前記荷電部に電圧を印加する電源部及び前記荷電部により帯電された粒子状物質を捕集する捕集部を有し、前記外気導入開口部から前記給気開口部に通じる風路に配置される集塵装置と、
前記室内の空気の汚れ量を検出する室内汚れセンサと、を備え、
前記集塵装置の前記電源部は、前記室内の空気の汚れ量に応じて前記荷電部に電圧を印加する換気装置。
【請求項２】
前記集塵装置の前記電源部は、前記室内の空気の汚れ量が予め設定された第１の基準量以上の場合に、前記荷電部に連続的に電圧を印加する請求項１に記載の換気装置。
【請求項３】
前記集塵装置の前記電源部は、前記室内の空気の汚れ量が、前記第１の基準量未満に予め設定された第２の基準量以上で、かつ、前記第１の基準量未満の場合に、前記荷電部に間欠的に電圧を印加する請求項２に記載の換気装置。
【請求項４】
前記室内汚れセンサは、空気中の粒子状物質の量を検出する粉塵センサ及び空気中のガス状物質の量を検出する臭気センサの一方又は両方を備えた請求項１から請求項３のいずれか一項に記載の換気装置。
【請求項５】
請求項１から請求項４のいずれか一項に記載の換気装置と、
前記室内に設置された送風装置と、を備え、
前記室内汚れセンサは、前記送風装置に設けられ、
前記送風装置は、前記室内汚れセンサの検出結果を送信する送信部を備え、
前記換気装置は、前記送信部から送信された前記室内汚れセンサの検出結果を受信する受信部を備えた換気システム。
【請求項６】
前記換気装置に対する前記送風装置の相対位置を特定する位置特定部をさらに備え、
前記換気装置は、前記換気装置に対する前記送風装置の相対位置に応じて、前記給気開口部から吹き出す空気の風向及び風量の一方又は両方を変更する請求項５に記載の換気システム。
【請求項７】
前記換気装置は、前記送風装置からの送風と前記換気装置からの送風とにより前記室内に循環気流が生成されるように、前記給気開口部から吹き出す空気の風向及び風量の一方又は両方を変更する請求項６に記載の換気システム。
【請求項８】
前記換気装置は、前記送風装置からの送風が届かない前記室内の箇所に前記換気装置からの送風が届くように、前記給気開口部から吹き出す空気の風向及び風量の一方又は両方を変更する請求項６に記載の換気システム。
【発明の詳細な説明】
【技術分野】
【０００１】
この発明は、換気装置及び換気システムに関するものである。
【背景技術】
【０００２】
天井の近傍に設置されるケーシングと、このケーシング内の空気通路に配置されて被処理空気を浄化する空気浄化手段と、を備え、空気浄化手段は、被処理空気中の塵埃を帯電させる荷電部と、この荷電部で帯電させた塵埃を電気的に捕集する集塵部とを有する電気集塵ユニット（放電式の集塵装置）を含む空気清浄機が知られている（例えば、特許文献１参照）。
【先行技術文献】
【特許文献】
【０００３】
【特許文献１】特開２０１０−０６３９４７号公報
【発明の概要】
【発明が解決しようとする課題】
【０００４】
しかしながら、特許文献１に示されるような空気清浄機を、屋外の空気を室内に導入する換気装置に適用した場合に、電気集塵ユニット（放電式の集塵装置）を常時動作させたり、屋外の空気の汚れ量をセンサで検出して集塵装置を動作させると、室内空気の清浄度が十分である場合に不必要な放電を行ってしまう。また、センサを用いる場合、屋外にあるセンサをメンテナンスする必要があるため、メンテナンス作業が困難である。
【０００５】
この発明は、このような課題を解決するためになされたものである。その第１の目的は、人の活動領域である室内の空気の清浄度を十分なものとするために必要な分だけ、放電式の集塵装置により屋外の空気から粒子状物質を取り除いた上で室内に導入でき、放電式の集塵装置における不必要な放電を抑制可能な換気装置及び換気システムを得ることにある。また、第２の目的は、空気の汚れ量を検出するセンサのメンテナンスを容易に行うことが可能である換気装置及び換気システムを得ることにある。
【課題を解決するための手段】
【０００６】
この発明に係る換気装置及び換気システムは、屋外の空気を取り入れるための外気導入開口部と、前記外気導入開口部から導入した空気を室内に吹き出すための給気開口部と、通過する空気中の粒子状物質を帯電させる荷電部、前記荷電部に電圧を印加する電源部及び前記荷電部により帯電された粒子状物質を捕集する捕集部を有し、前記外気導入開口部から前記給気開口部に通じる風路に配置される集塵装置と、前記室内の空気の汚れ量を検出する室内汚れセンサと、を備え、前記集塵装置の前記電源部は、前記室内の空気の汚れ量に応じて前記荷電部に電圧を印加する。
【０００７】
また、この発明に係る換気システムは、上述のように構成された換気装置と、前記室内に設置された送風装置と、を備え、前記室内汚れセンサは、前記送風装置に設けられ、前記送風装置は、前記室内汚れセンサの検出結果を送信する送信部を備え、前記換気装置は、前記送信部から送信された前記室内汚れセンサの検出結果を受信する受信部を備える。
【発明の効果】
【０００８】
この発明に係る換気装置及び換気システムによれば、人の活動領域である室内の空気の清浄度を十分なものとするために必要な分だけ、放電式の集塵装置により屋外の空気から粒子状物質を取り除いた上で室内に導入でき、放電式の集塵装置における不必要な放電を抑制可能であるという効果を奏する。また、空気の汚れ量を検出するセンサのメンテナンスを容易に行うことが可能であるという効果を併せて奏する。
【図面の簡単な説明】
【０００９】
【図１】この発明の実施の形態１に係る換気システムの全体構成を模式的に示す斜視図である。
【図２】この発明の実施の形態１に係る換気システムの換気装置が備える集塵装置の構成を模式的に示す断面図である。
【図３】この発明の実施の形態１に係る換気システムの制御系統の構成を示すブロック図である。
【図４】この発明の実施の形態１に係る換気システムの動作の一例を示すフロー図である。
【図５】この発明の実施の形態２に係る換気システムの全体構成を模式的に示す斜視図である。
【発明を実施するための形態】
【００１０】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１１】
実施の形態１．
図１から図４は、この発明の実施の形態１に係るものである。図１は換気システムの全体構成を模式的に示す斜視図である。図２は換気システムの換気装置が備える集塵装置の構成を模式的に示す断面図である。図３は換気システムの制御系統の構成を示すブロック図である。そして、図４は換気システムの動作の一例を示すフロー図である。
【００１２】
この発明の実施の形態１に係る換気システムは、換気装置を備えている。換気装置は、換気の対象となる部屋１の室内に、屋外の空気を導入するためのものである。図１に示すように、この実施の形態に係る換気装置は、換気装置本体１０及びダクト１１を備えている。換気装置本体１０は、中空の箱状を呈する。換気装置本体１０は、部屋１の天井裏すなわち天井の上側に設置されている。
【００１３】
ダクト１１は、中空筒状の部材である。ダクト１１の一端側は屋外に露出している。この屋外に露出したダクト１１の一端には、吸込口１２が形成されている。吸込口１２は、屋外の空気を取り入れるための外気導入開口部である。ダクト１１の他端は、換気装置本体１０の一側面に接続されている。換気装置本体１０の内部は、ダクト１１の内部と吸込口１２とを介して屋外に通じている。
【００１４】
換気装置本体１０の下面部は、天井から部屋１の室内に露出している。この室内に露出した換気装置本体１０の下面部には、吹出口１３が形成されている。吹出口１３は、外気導入開口部である吸込口１２から導入した空気を部屋１の室内に吹き出すための給気開口部である。換気装置本体１０の内部は、吹出口１３を介して部屋１の内部空間すなわち室内に通じている。
【００１５】
このようにして、ダクト１１及び換気装置本体１０の内部には、外気導入開口部である吸込口１２から、給気開口部である吹出口１３まで通じる風路が形成されている。
【００１６】
換気装置本体１０は、給気ファン１４及び集塵装置１００を備えている。これらの給気ファン１４及び集塵装置１００は、換気装置本体１０の内部に収容されている。給気ファン１４は、前述の風路中を吸込口１２から換気装置本体１０内部を経て吹出口１３へと流れる空気流を発生させるためのものである。
【００１７】
集塵装置１００は、通過する空気中の粒子状物質を除去する装置である。集塵装置１００が除去する粒子状物質には、具体的に例えば、塵、埃、綿ゴミ、ダニ、ＰＭ２．５及び花粉等が含まれる。図２を参照しながら、集塵装置１００の構成について説明する。同図に示すように、集塵装置１００は、荷電部１１０、電源部１２０及び捕集部１３０を備えている。
【００１８】
荷電部１１０は、捕集部１３０よりも集塵装置１００を通過する空気流の上流側に配置されている。荷電部１１０は、通過する空気中の粒子状物質を帯電させるためのものである。荷電部１１０は、放電電極１１１及び対向電極１１２を備えている。放電電極１１１は複数設けられる。対向電極１１２も複数設けられる。放電電極１１１及び対向電極１１２は、捕集部１３０に沿って交互に並んでいる。換言すれば、放電電極１１１及び対向電極１１２は、集塵装置１００を通過する空気流の方向と直交する方向に沿って、交互に並んでいる。
【００１９】
放電電極１１１は、長尺な板状部材で構成されている。放電電極１１１の材質には導電体が用いられる。具体的には、タングステン、銅、ニッケル、亜鉛、鉄等の金属、又は、これらの金属を主成分とするステンレス等の合金、もしくは、これらの金属又は合金の表面に、銀、金、白金等の貴金属をメッキしたもの、あるいは、これらの金属又は合金の表面に、炭素（グラファイト）層又は酸化膜を生成したもの等を用いることができる。
【００２０】
放電電極１１１の断面は、短辺及び長辺によって周囲が囲まれた矩形形状を呈する。放電電極１１１の断面の短辺の長さは、例えば、０．０１ｍｍから０．１ｍｍである。放電電極１１１の断面の長辺の長さは、例えば、０．１ｍｍから１．０ｍｍである。放電電極１１１をこのような形状にすることで、放電電極１１１の強度を増すことができる。したがって、放電電極１１１をこのような形状にすることで、放電電極１１１の形状の経年変化を大幅に抑制することが可能である。
【００２１】
電源部１２０は、荷電部１１０に電圧を印加する。電源部１２０は、例えば、接地電位に対して４〜７ｋＶの電圧を放電電極１１１に印加する。この際、放電電極１１１に正の高電圧を印加することで放電により生成するオゾン発生量を抑制することができる。対向電極１１２は、接地されている。このように、電源部１２０は、放電電極１１１と対向電極１１２との間に電圧を印加する。
【００２２】
捕集部１３０は、荷電部１１０により帯電された粒子状物質を捕集するためのものである。捕集部１３０は、例えば、電荷を帯びたエレクトレットフィルタを備えている。このエレクトレットフィルタは、例えば、濾材をプリーツ形状、コルゲート形状又はハニカム形状等にしたものに帯電させることで構成される。
【００２３】
なお、捕集部１３０をフィルタ形状にせず、他に例えば、平行平板状の金属又は樹脂を積層したもので構成してもよい。平行平板状の部材を積層して捕集部１３０を構成した場合、例えば、捕集部１３０を天井２から部屋１内へと引き出せるような構造にすることで、捕集部１３０を水等で洗浄するメンテナンスが可能となり、フィルタの交換コストを低減することができる。
【００２４】
以上のように構成された集塵装置１００を通過する空気は、まず、荷電部１１０の放電電極１１１と対向電極１１２との間の空間を通過する。このとき、電源部１２０が荷電部１１０に電圧を印加していれば、放電電極１１１と対向電極１１２との間でコロナ放電が生じる。そして、空気中の粒子状物質は、コロナ放電が起きている放電電極１１１と対向電極１１２との間の空間を通過する際に帯電される。荷電部１１０を通過した空気は、次に捕集部１３０を通過する。この際、荷電部１１０の通過時に帯電された粒子状物質は、捕集部１３０のエレクトレットフィルタにクーロン力等により吸着され、捕集部１３０において捕集される。このようにして、集塵装置１００は通過する空気中から粒子状物質を除去する。
【００２５】
次に、再び図１を参照しながら説明を続ける。前述したように、集塵装置１００は、前述した風路の一部である換気装置本体１０の内部に配置されている。すなわち、集塵装置１００は、外気導入開口部である吸込口１２から給気開口部である吹出口１３に通じる風路に配置されている。
【００２６】
以上のように構成された換気装置において、給気ファン１４が駆動すると、吸込口１２及びダクト１１を介して、屋外の空気が換気装置本体１０の内部に取り込まれる。換気装置本体１０の内部に取り込まれた空気は、集塵装置１００を通過する。集塵装置１００を通過する際、空気中に含まれる粒子状物質が除去される。そして、集塵装置１００を通過した空気は、吹出口１３から部屋１の室内空間に吹き出される。
【００２７】
この実施の形態に係る換気システムは、以上のような換気装置に加え、空気清浄機２０をさらに備えている。空気清浄機２０は、部屋１の室内に設置される送風装置の一例である。空気清浄機２０は、送風ファン２１、室内汚れセンサ２２及び送信部２３を備えている。送風ファン２１は、空気清浄機２０の図示しない吹出口から吹き出す空気流を生成するファンである。室内汚れセンサ２２は、部屋１の室内の空気の汚れ量を検出するセンサである。具体的には、室内汚れセンサ２２は、粉塵センサ及び臭気センサの一方又は両方を備えている。
【００２８】
まず、粉塵センサは、空気中に存在する粒子状物質の量を検出するセンサである。粉塵センサが濃度を検出する粒子状物質には、具体的に例えば、塵、埃、綿ゴミ、ダニ及び花粉等が含まれる。
【００２９】
粉塵センサは、例えば、１対の発光素子及び受光素子を備え、空気中の粒子状物質を光学的に検出する。１対の発光素子及び受光素子は、例えば、Ｖ字状となる一定の角度で斜めに向かい合うように配置される。発光素子は、例えばＬＥＤである。発光素子は、周囲の空間に光を照射する。発光素子から照射された光は、空気中に存在する粒子状物質に当たると散乱される。受光素子は、空気中に存在する粒子状物質によって生じた散乱光を受光する。そして、受光素子は、受光強度、受光回数等に応じた信号を出力する。
【００３０】
粉塵センサは、受光素子の出力に基づいて、空気中の粒子状物質の量、すなわち、粒子状物質の個数、粒子状物質の濃度、粒子状物質の大きさ及び粒子状物質の形状等を検出する。より詳しくは、粉塵センサは、受光素子の出力信号の形状に基づいて、粒子状物質の個数及び粒子状物質の大きさを検出する。
【００３１】
空気中に存在する粒子状物質の形状が球形である場合、２つの受光素子の出力の差分は比較的小さい。一方、粒子状物質の形状が球形でない場合、２つの受光素子の出力の差分は、球形の場合よりも大きくなる。この特性を利用し、ＰＭ１０、ＰＭ２．５等の粒子径による区別を行ったり、埃、綿ゴミ、ダニ及び花粉等の粒子状物質の種類を判定したりしてもよい。
【００３２】
なお、粉塵センサは、２つ以上の受光素子を備え、それらの出力の差分に基づいて、粒子状物質の形状を検出する方式としてもよい。また、粉塵センサは、光を増幅して放射するレーザー光を照射する発光素子と、それに対応する受光素子とを備え、粒子の状態をより精密に検出できる方式としてもよい。
【００３３】
さらに、粉塵センサは、以上で説明したような光学的に空気中の粒子状物質を検出するものに限られず、他の方式によるものであってもよい。
【００３４】
次に、臭気センサは、空気中に存在するガス状物質の量を検出するセンサである。このようなガス状物質としては、例えば、建材から発生する揮発性の有機化合物（ＶＯＣ）、人から発生した脂肪酸、微生物が代謝の際に発生する揮発性の有機化合物（ＶＯＣ）等が挙げられる。また、臭気センサが検出するガス状物質に、生活の中で発生し、アルデヒド基、アルコール基を有する化合物（芳香族脂肪酸、アミン類等）も含まれるようにしてもよい。すなわち、臭気センサは、空気中の揮発性有機化合物の量又は濃度を検出可能である。
【００３５】
室内汚れセンサ２２が粉塵センサのみを備えている場合、室内汚れセンサ２２は、粉塵センサが検出した室内空気中の粒子状物質の量を、室内の空気の汚れ量の検出結果として出力する。室内汚れセンサ２２が臭気センサのみを備えている場合、室内汚れセンサ２２は、臭気センサが検出した室内空気中のガス状物質の量を、室内の空気の汚れ量の検出結果として出力する。室内汚れセンサ２２が粉塵センサ及び臭気センサの両方を備えている場合、室内汚れセンサ２２は、粉塵センサ及び臭気センサの両者の検出結果を総合的に判断して、室内の空気の汚れ量の検出結果を出力する。室内汚れセンサ２２が検出する室内の空気の汚れ量は、具体的に例えば単位体積の空気中に含まれる粒子状物質又はガス状物質の量（単位：ｍｇ／ｍ＾３）とする。
【００３６】
送信部２３は、室内汚れセンサ２２の検出結果を送信する。換気装置本体１０には、受信部１５がさらに備えられている。図３に示すように、受信部１５は、送信部２３から送信された室内汚れセンサ２２の検出結果を受信する。送信部２３と受信部１５との間でなされる通信の方式は、無線方式であっても有線方式であってもよい。
【００３７】
換気装置本体１０は、図３に示すように、制御部１６をさらに備えている。制御部１６は、換気装置本体１０の運転動作全般を制御する。特に、この実施の形態では、制御部１６は、受信部１５が受信した室内汚れセンサ２２の検出結果に基づいて、給気ファン１４及び集塵装置１００の動作を制御する。
【００３８】
具体的に例えば、室内汚れセンサ２２が検出した室内空気の汚れ量が０．１０［ｍｇ／ｍ＾３］以上の場合、制御部１６は、集塵装置１００の電源部１２０が荷電部１１０に連続的に電圧を印加するように制御する。この際、制御部１６は給気ファン１４を動作させる。すなわち、集塵装置１００の電源部１２０は、部屋１内の空気の汚れ量が予め設定された第１の基準量以上の場合に、荷電部１１０に連続的に電圧を印加する。ここで説明した例では、第１の基準量は０．１０［ｍｇ／ｍ＾３］である。
【００３９】
また、室内汚れセンサ２２が検出した室内空気の汚れ量が０．０１［ｍｇ／ｍ＾３］以上かつ０．１０［ｍｇ／ｍ＾３］未満の場合、制御部１６は、集塵装置１００の電源部１２０が荷電部１１０に間欠的に電圧を印加するように制御する。この際、制御部１６は給気ファン１４を動作させる。すなわち、集塵装置１００の電源部１２０は、部屋１内の空気の汚れ量が、予め設定された第２の基準量以上で、かつ、前述した第１の基準量未満の場合に、荷電部１１０に間欠的に電圧を印加する。そして、第２の基準量は、前述した第１の基準量未満である。ここで説明する例では、第２の基準量は、０．０１［ｍｇ／ｍ＾３］である。
【００４０】
なお、室内汚れセンサ２２が検出した室内空気の汚れ量が前述した第２の基準量すなわち０．０１［ｍｇ／ｍ＾３］未満の場合、制御部１６は、電源部１２０による荷電部１１０への電圧の印加を停止させる。このようにして、この実施の形態では、集塵装置１００の電源部１２０は、部屋１の室内の空気の汚れ量に応じて荷電部１１０に電圧を印加する。
【００４１】
以上のように構成された換気装置及び換気システムによれば、人の活動領域である室内の空気の清浄度を十分なものとするために必要な分だけ、屋外の空気から粒子状物質を取り除いた上で室内に導入できる。したがって、特に、室内に空気清浄機等が設置されていて室内空気の清浄度が十分である場合等に、屋外空気の粒子状物質の量によらずに、放電式の集塵装置における不必要な放電を抑制できる。また、空気の汚れ量を検出する室内汚れセンサ２２は、室内からメンテナンスを容易に行うことが可能である。
【００４２】
次に、図４のフロー図を参照しながら、以上のように構成された換気システムの動作例について説明する。図４のフロー図中の各ステップのうち、ステップＳ１０からＳ１３は、空気清浄機２０の動作である。また、ステップＳ２０からＳ３０及びＳ４０は、換気装置本体１０の動作である。
【００４３】
まず、ステップＳ１０からＳ１３の空気清浄機２０の動作について説明する。ステップＳ１０において、空気清浄機２０の主電源がＯＮとなると、続くステップＳ１１において、空気清浄機２０は、送風ファン２１を動作させる。また、室内汚れセンサ２２による室内空気の汚れ量の検出を開始する。ステップＳ１１の後、処理はステップＳ１２へと進む。
【００４４】
ステップＳ１２においては、空気清浄機２０の送信部２３は、予め設定された一定時間毎に、室内汚れセンサ２２の検出結果を送信する。送信間隔となる前述の一定時間は、具体的に例えば１分間とする。
【００４５】
ステップＳ１２の後、空気清浄機２０の主電源がＯＦＦとなると、処理はステップＳ１３へと進む。すなわち、空気清浄機２０は、送風ファン２１を停止させる。また、室内汚れセンサ２２による室内空気の汚れ量の検出も停止する。ステップＳ１３の処理が完了すると、空気清浄機２０における一連の動作は終了となる。
【００４６】
次に、換気装置本体１０の動作について説明する。ステップＳ２０において、換気装置本体１０の主電源がＯＮとなると、続くステップＳ２１において、制御部１６は給気ファン１４を動作させる。ステップＳ２１の後、処理はステップＳ２２へと進む。
【００４７】
ステップＳ２２においては、受信部１５は、ステップＳ１２で送信部２３から送信される室内空気の汚れ量の情報を受信する。そして、制御部１６は、室内空気の汚れ有無を確認する。室内汚れセンサ２２が検出した室内空気の汚れ量が０．０１［ｍｇ／ｍ＾３］未満の場合、又は、受信部１５が室内空気の汚れ量の情報を受信しなかった場合、処理はステップＳ２３へと進む。
【００４８】
ステップＳ２３においては、給気ファン１４のみを動作させた状態を継続し、集塵装置１００は停止したままとする。そして、制御部１６は、最後にステップＳ２２の確認処理を実施してから１分間が経過したか否かを確認する。ステップＳ２２の確認処理を実施してから１分間が経過した場合、処理はステップＳ２２へと戻る。
【００４９】
一方、最後にステップＳ２２の確認処理を実施してから１分間が経過していない場合、換気装置本体１０の主電源がＯＦＦとなると、処理はステップＳ２４へと進む。すなわち、制御部１６は給気ファン１４を停止させる。ステップＳ２４の処理が完了すると、換気装置本体１０における一連の動作は終了となる。なお、ステップＳ２３で、最後にステップＳ２２の確認処理を実施してから１分間が経過していない場合であっても、換気装置本体１０の主電源がＯＦＦにされるまでは、ステップＳ２３の処理を繰り返して待機する。
【００５０】
ステップＳ２２で室内汚れセンサ２２が検出した室内空気の汚れ量が０．０１［ｍｇ／ｍ＾３］以上の場合、処理はステップＳ２５へと進む。ステップＳ２５においては、制御部１６は、ステップＳ２２で受信部１５が受信した室内空気の汚れ量の情報を参照し、室内汚れセンサ２２が検出した室内空気の汚れ量が０．１０［ｍｇ／ｍ＾３］以上か否かを確認する。室内空気の汚れ量が０．１０［ｍｇ／ｍ＾３］未満の場合、処理はステップＳ２６へと進む。
【００５１】
ステップＳ２６においては、制御部１６は、集塵装置１００の電源部１２０が荷電部１１０に間欠的に電圧を印加するように制御する。ステップＳ２６の後、処理はステップＳ２７へと進む。ステップＳ２７においては、制御部１６は、最後にステップＳ２２の確認処理を実施してから１分間が経過したか否かを確認する。ステップＳ２２の確認処理を実施してから１分間が経過した場合、処理はステップＳ２２へと戻る。
【００５２】
一方、ステップＳ２７で、最後にステップＳ２２の確認処理を実施してから１分間が経過していない場合、換気装置本体１０の主電源がＯＦＦとなると、処理はステップＳ２８へと進む。すなわち、制御部１６は電源部１２０による電圧の印加を停止させるとともに、給気ファン１４を停止させる。ステップＳ２８の処理が完了すると、換気装置本体１０における一連の動作は終了となる。なお、ステップＳ２７で、最後にステップＳ２２の確認処理を実施してから１分間が経過していない場合であっても、換気装置本体１０の主電源がＯＦＦにされるまでは、ステップＳ２７の処理を繰り返して待機する。
【００５３】
一方、ステップＳ２５で室内空気の汚れ量が０．１０［ｍｇ／ｍ＾３］以上の場合、処理はステップＳ２９へと進む。ステップＳ２９においては、制御部１６は、集塵装置１００の電源部１２０が荷電部１１０に連続的に電圧を印加するように制御する。ステップＳ２９の後、処理はステップＳ３０へと進む。ステップＳ３０においては、制御部１６は、最後にステップＳ２２の確認処理を実施してから１分間が経過したか否かを確認する。ステップＳ２２の確認処理を実施してから１分間が経過した場合、処理はステップＳ２２へと戻る。
【００５４】
一方、ステップＳ３０で、最後にステップＳ２２の確認処理を実施してから１分間が経過していない場合、換気装置本体１０の主電源がＯＦＦとなると、処理はステップＳ２８へと進む。すなわち、制御部１６は電源部１２０による電圧の印加を停止させるとともに、給気ファン１４を停止させる。ステップＳ２８の処理が完了すると、換気装置本体１０における一連の動作は終了となる。なお、ステップＳ３０で、最後にステップＳ２２の確認処理を実施してから１分間が経過していない場合であっても、換気装置本体１０の主電源がＯＦＦにされるまでは、ステップＳ３０の処理を繰り返して待機する。
【００５５】
なお、ステップＳ２２で、送信部２３から送信される室内空気の汚れ量の情報を受信部１５が受信した場合、制御部１６はステップＳ４０の処理も平行して実行する。ステップＳ４０では、受信した室内空気の汚れ量のデータが受信部１５に蓄積される。
【００５６】
この実施の形態で説明する構成例では、部屋１に排気部３０が設けられている。排気部３０は、部屋１の室内の空気を屋外に排出するためのものである。したがって、ここで説明する構成例では、前述した換気装置により屋外から部屋１の室内へと給気され、排気部３０により部屋１の室内から屋外へと排気されることで、換気が行われる。なお、排気部３０の機能を換気装置に持たせるようにしてもよい。すなわち、換気装置は、部屋１の室内の空気を屋外に排出できるようにしてもよい。
【００５７】
また、排気部３０に換気扇（排気ファン）が設けられている場合、換気装置本体１０は給気ファン１４を備えていなくともよい。この場合、排気部３０の換気扇を動作させれば、部屋１内の気圧が低下し、給気ファン１４がなくとも、前述の風路中を吸込口１２から吹出口１３へと流れる空気流を発生させることができる。
【００５８】
実施の形態２．
図５は、この発明の実施の形態２に係るもので、換気システムの全体構成を模式的に示す斜視図である。
【００５９】
ここで説明する実施の形態２は、前述した実施の形態１の構成において、室内に設置された送風装置の位置に応じて、換気装置の風向、風量を変更するようにしたものである。以下、この実施の形態２に係る換気装置及び換気システムについて、実施の形態１との相違点を中心に説明する。説明を省略した構成については実施の形態１と基本的に同様である。
【００６０】
この発明の実施の形態２に係る換気システムは、図５に示すように、換気装置及び空気清浄機２０に加え、空気調和機４０を備えている。なお、ここで例示する空気調和機４０は、空気調和装置の室内機である。この実施の形態における空気清浄機２０及び空気調和機４０は、いずれも部屋１の室内に設置される送風装置の例である。
【００６１】
空気調和機４０は、部屋１の室内における内壁面の上部に設置されている。空気調和機４０は、室内機ファン４１及び室内汚れセンサ及び送信部４２を備えている。室内機ファン４１は、室内機ファン４１は、空気調和機４０の図示しない吹出口から吹き出す空気流を生成するファンである。室内汚れセンサ及び送信部４２は、実施の形態１として説明した空気清浄機２０の室内汚れセンサ２２及び送信部２３と同様の機能を有する。すなわち、室内汚れセンサ及び送信部４２は、部屋１の室内の空気の汚れ量を検出し、この検出結果を換気装置本体１０に送信する。
【００６２】
換気装置本体１０の受信部１５は、空気清浄機２０の送信部２３から送信された情報だけでなく、空気調和機４０の室内汚れセンサ及び送信部４２から送信された情報も受信可能である。そして、換気装置本体１０の集塵装置１００の電源部１２０は、空気清浄機２０の室内汚れセンサ２２の検出結果と、空気調和機４０の室内汚れセンサ及び送信部４２の検出結果の両方を用いて、荷電部１１０に印加する電圧を変化させる。
【００６３】
また、この実施の形態では、換気装置は、当該換気装置に対する送風装置すなわち空気清浄機２０及び空気調和機４０の相対位置に応じて、吹出口１３から吹き出す空気の風向及び風量の一方又は両方を変更する。以下、この点に係る構成について説明する。
【００６４】
この実施の形態の換気装置は、吹出口１３から吹き出す空気の風向及び風量の一方又は両方を変更可能である。ここで説明する構成例では、換気装置は、吹出口１３から吹き出す空気の風向及び風量の両方を変更可能である。すなわち、換気装置本体１０の吹出口１３には、換気装置風向可変部１７が設けられている。換気装置風向可変部１７は、例えばルーバーである。換気装置風向可変部１７により、吹出口１３から吹き出す空気の風向を変更できる。また、給気ファン１４の回転数を変更することで、吹出口１３から吹き出す空気の風量を変更できる。
【００６５】
空気清浄機２０の吹出口には、空気清浄機風向可変部２４が設けられている。空気清浄機風向可変部２４は、例えばルーバーである。空気清浄機風向可変部２４により、空気清浄機２０の吹出口から吹き出す空気の風向を変更できる。また、送風ファン２１の回転数を変更することで、空気清浄機２０の吹出口から吹き出す空気の風量を変更できる。
【００６６】
空気調和機４０の吹出口には、空気調和機風向可変部４３が設けられている。空気調和機風向可変部４３は、例えばルーバーである。空気調和機風向可変部４３により、空気調和機４０の吹出口から吹き出す空気の風向を変更できる。また、室内機ファン４１の回転数を変更することで、空気調和機４０の吹出口から吹き出す空気の風量を変更できる。
【００６７】
換気装置本体１０には、位置特定部１８が設けられている。位置特定部１８は、換気装置本体１０に対する送風装置の相対位置を特定する。ここで説明する構成例では、送風装置とは、すなわち、空気清浄機２０及び空気調和機４０である。
【００６８】
位置特定部１８による換気装置本体１０に対する送風装置の相対位置の特定方法について次に説明する。位置特定部１８は、予め入力された位置情報を用いて、換気装置本体１０に対する送風装置の相対位置を特定する。位置情報は、例えば、換気装置本体１０又は各送風装置の図示しないリモコン、又は、換気装置本体１０又は各送風装置と通信可能なスマートフォン等の携帯端末を用いて、使用者又は設置作業者が入力する。入力された位置情報は、例えば、換気装置本体１０の図示しない記憶部に記憶される。
【００６９】
予め入力される位置情報は、具体的には以下のような例が挙げられる。位置情報の第１の例は、それぞれの送風装置の換気装置本体１０に対する相対位置の情報である。この例では、位置特定部１８は、入力された相対位置の情報をそのまま用いて、換気装置本体１０に対する各送風装置の相対位置を特定できる。
【００７０】
位置情報の第２の例は、換気装置本体１０及びそれぞれの送風装置についての部屋１内における位置の情報である。この場合、空気清浄機２０の部屋１内における位置情報は、空気清浄機２０で設定する。そして、空気清浄機２０の送信部２３は、空気清浄機２０の部屋１内における位置情報を換気装置本体１０に送信する。また、空気調和機４０の部屋１内における位置情報は、空気調和機４０で設定する。そして、空気調和機４０の室内汚れセンサ及び送信部４２は、空気調和機４０の部屋１内における位置情報を換気装置本体１０に送信する。
【００７１】
換気装置本体１０の受信部１５は、空気清浄機２０及び空気調和機４０のそれぞれの送風装置から送信された位置情報を受信する。そして、受信した各送風装置の位置情報と換気装置本体１０の位置情報とから、位置特定部１８は、換気装置本体１０に対する各送風装置の相対位置を特定する。
【００７２】
換気装置本体１０の制御部１６は、位置特定部１８により特定された各送風装置の相対位置に応じて、換気装置風向可変部１７及び給気ファン１４の動作を制御することで、吹出口１３から吹き出す空気の風向及び風量を変更する。この際、制御部１６は、各送風装置による送風と、換気装置本体１０からの送風とにより、部屋１内に循環気流が形成されるように、換気装置本体１０の吹出口１３から吹き出す風向及び風量の一方又は両方を制御する。
【００７３】
また、具体的に例えば、換気装置本体１０は、空気清浄機２０及び空気調和機４０からの風が届き難い箇所に向けて吹出口１３からの風を送る。すなわち、制御部１６は、各送風装置からの送風が届かない部屋１内の箇所に換気装置本体１０からの送風が届くように、吹出口１３から吹き出す空気の風向及び風量の一方又は両方を変更する。
【００７４】
以上のように構成された換気システムにおいても、実施の形態１と同様の効果を奏することができる。さらに、換気装置と各送風装置と相対位置に応じて、室内に循環気流が形成されるように換気装置の風向及び風量の一方又は両方を制御することで、室内に空気の澱みが生じることを抑制し、室内空気の全体について空気清浄機２０により清浄化したり、排気部３０から屋外に排出したりできる。したがって、より効率的に室内空気の清浄度を向上することが可能である。
【符号の説明】
【００７５】
１    部屋
１０    換気装置本体
１１    ダクト
１２    吸込口
１３    吹出口
１４    給気ファン
１５    受信部
１６    制御部
１７    換気装置風向可変部
１８    位置特定部
２０    空気清浄機
２１    送風ファン
２２    室内汚れセンサ
２３    送信部
２４    空気清浄機風向可変部
３０    排気部
４０    空気調和機
４１    室内機ファン
４２    室内汚れセンサ及び送信部
４３    空気調和機風向可変部
１００    集塵装置
１１０    荷電部
１１１    放電電極
１１２    対向電極
１２０    電源部
１３０    捕集部
【図１】
2019199989.tif 000003
【図２】
2019199989.tif 000004
【図３】
2019199989.tif 000005
【図４】
2019199989.tif 000006
【図５】
2019199989.tif 000007